(57)【特許請求の範囲】
【請求項１】
前置歪み補償処理に用いられる複数の歪み補償係数を記憶する補償係数記憶部と、
歪み補償処理前の送信信号と、前記複数の歪み補償係数のうち１つの歪み補償係数による歪み補償処理後の増幅信号とに基いて算出した訂正値に基づき、該１つの歪み補償係数以外の複数の歪み補償係数のための複数の訂正値を生成する訂正値生成部と、
前記送信信号と増幅信号とに基いて算出した訂正値を前記１つの歪み補償係数に加算し、前記複数の訂正値を前記複数の歪み補償係数にそれぞれ加算して、得られた加算結果により前記補償係数記憶部の歪み補償係数を更新する加算部と
を備え、
前記訂正値生成部は、前記送信信号と増幅信号とに基いて算出した訂正値に前記複数の歪み補償係数のそれぞれに対応する重み係数を乗算することで、前記複数の歪み補償係数のそれぞれに対応する乗算結果を前記複数の訂正値として出力する乗算部を含むことを特徴とする歪み補償係数更新装置。
【請求項２】
前記補償係数記憶部は、前記歪み補償処理前の送信信号の振幅またはパワーから計算される値をアドレスとして、該振幅またはパワーに対応する歪み補償係数を記憶し、前記１つの歪み補償係数に隣接するアドレスに前記複数の歪み補償係数を記憶しており、前記重み係数は、該１つの歪み補償係数から遠い歪み補償係数ほど重み係数の値が小さくなるような重み係数であることを特徴とする請求項１記載の歪み補償係数更新装置。
【請求項３】
前置歪み補償処理に用いられる複数の歪み補償係数を記憶する補償係数記憶部と、
歪み補償処理前の送信信号と、前記複数の歪み補償係数のうち１つの歪み補償係数による歪み補償処理後の増幅信号とに基いて訂正値を算出する更新部と、
前記訂正値に基づき、前記１つの歪み補償係数以外の複数の歪み補償係数のための複数の訂正値を生成する訂正値生成部と、
前記送信信号と増幅信号とに基いて算出した訂正値を前記１つの歪み補償係数に加算し、前記複数の訂正値を前記複数の歪み補償係数にそれぞれ加算して、得られた加算結果により前記補償係数記憶部の歪み補償係数を更新する加算部と、
前記１つの歪み補償係数の更新後の値を、前記歪み補償処理前の送信信号に乗算する乗算部と、
前記乗算部により乗算して得られた信号を増幅し、前記増幅後の信号を出力する増幅部と
を備え、
前記訂正値生成部は、前記送信信号と増幅信号とに基いて算出した訂正値に前記複数の歪み補償係数のそれぞれに対応する重み係数を乗算することで、前記複数の歪み補償係数のそれぞれに対応する乗算結果を前記複数の訂正値として出力する乗算部を含むことを特徴とする歪み補償増幅器。
【請求項４】
前置歪み補償処理前の送信信号を生成する生成部と、
歪み補償処理に用いられる複数の歪み補償係数を記憶する補償係数記憶部と、
前記歪み補償処理前の送信信号と、前記複数の歪み補償係数のうち１つの歪み補償係数による歪み補償処理後の増幅信号とに基いて訂正値を算出する更新部と、
前記訂正値に基づき、前記１つの歪み補償係数以外の複数の歪み補償係数のための複数の訂正値を生成する訂正値生成部と、
前記送信信号と増幅信号とに基いて算出した訂正値を前記１つの歪み補償係数に加算し、前記複数の訂正値を前記複数の歪み補償係数にそれぞれ加算して、得られた加算結果により前記補償係数記憶部の歪み補償係数を更新する加算部と、
前記１つの歪み補償係数の更新後の値を、前記歪み補償処理前の送信信号に乗算する乗算部と、
前記乗算部により乗算して得られた信号を増幅し、前記増幅後の信号を出力する増幅部と
を備え、
前記訂正値生成部は、前記送信信号と増幅信号とに基いて算出した訂正値に前記複数の歪み補償係数のそれぞれに対応する重み係数を乗算することで、前記複数の歪み補償係数のそれぞれに対応する乗算結果を前記複数の訂正値として出力する乗算部を含むことを特徴とする基地局装置。
【請求項５】
前置歪み補償処理前の送信信号と、歪み補償処理に用いられる複数の歪み補償係数のうち１つの歪み補償係数による歪み補償処理後の増幅信号とに基いて算出した訂正値に、該１つの歪み補償係数以外の複数の歪み補償係数のそれぞれに対応する重み係数を乗算することで、該複数の歪み補償係数のそれぞれに対応する乗算結果を複数の訂正値として生成し、
前記送信信号と増幅信号とに基いて算出した訂正値を前記１つの歪み補償係数に加算し、前記複数の訂正値を前記複数の歪み補償係数にそれぞれ加算して、得られた加算結果により歪み補償係数を更新する
ことを特徴とする歪み補償係数更新方法。
【発明の詳細な説明】
【技術分野】
【０００１】
本発明は、増幅信号の前置歪み補償処理に用いられる歪み補償係数を更新する装置と歪み補償増幅器に関する。
【背景技術】
【０００２】
図６は、デジタルプリディストータ（ＤＰＤ）リファレンス設計の基本アルゴリズムを実現する歪み補償増幅器の構成例を示している（例えば、非特許文献１を参照）。この歪み補償増幅器は、乗算器１１、２１、デジタル／アナログ変換器（ＤＡＣ）１２、無線周波数（ＲＦ）Ｉ−Ｑ変調器１３、高出力増幅器（ＨＰＡ）１４、アドレス計算部１５、参照テーブル（ＬＵＴ）１６、遅延部１７、１８、加算器１９、更新部２０、減算器２２、アナログ／デジタル変換器（ＡＤＣ）２３、およびＲＦＩ−Ｑ復調器２４を備える。
【０００３】
入力信号の複素サンプルＳ（ｔ）には実数部Ｉと虚数部Ｑが含まれ、乗算器１１は、ＬＵＴ１６から出力される歪み補償係数ｈをサンプルＳ（ｔ）に乗算し、ＤＡＣ１２は、乗算結果をアナログ信号に変換して、ＲＦＩ−Ｑ変調器１３に出力する。このとき、アドレス計算部１５は、サンプルＳ（ｔ）の振幅またはパワーからリードアドレスＲｅａｄＡｄｄｒを計算して、ＬＵＴ１６と遅延部１８に出力する。歪み補償係数ｈも複素数であり、ＬＵＴ１６は、アドレス毎に歪み補償係数ｈの実数部Ｉと虚数部Ｑを記憶する。
【０００４】
ＲＦＩ−Ｑ変調器１３は、ＤＡＣ１２からのアナログ信号をアップコンバートし、ＨＰＡ１４は、得られた変換結果を増幅して不図示のアンテナに出力するとともに、ＲＦＩ−Ｑ復調器２４に出力する。ＲＦＩ−Ｑ復調器２４は、ＨＰＡ１４の出力信号をダウンコンバートし、ＡＤＣ２３は、得られた変換結果をデジタル信号ｙ（ｔ）に変換して減算器２２に出力する。
【０００５】
一方、遅延部１７は、サンプルＳ（ｔ）を時間Δだけ遅延させて、遅延サンプルＳ（ｔ−Δ）を減算器２２に出力する。これにより、サンプルＳ（ｔ）が乗算器１１からＨＰＡ１４を経由して減算器２２にフィードバックされるまでの転送遅延Δが補償され、入力サンプルを正しい出力信号と比較することが可能になる。減算器２２は、遅延サンプルＳ（ｔ−Δ）の位相および振幅と、ＨＰＡ１４の出力信号に対応するフィードバック信号ｙ（ｔ）の位相および振幅との差を計算し、誤差信号ε＝Ｓ（ｔ−Δ）−ｙ（ｔ）として乗算器２１に出力する。
【０００６】
乗算器２１は、誤差信号εに係数μを乗算して更新部２０に出力する。更新部２０は、乗算器２１からの出力信号をもとに、最小二乗アルゴリズムにより歪み補償係数の訂正値Δｈを推定する。加算器１９は、ＬＵＴ１６に格納されている歪み補償係数ｈに訂正値Δｈを加算して、更新値ｈ’＝ｈ＋Δｈを求め、ＬＵＴ１６に出力する。このとき、遅延部１８は、時間Δだけ遅延したリードアドレスＲｅａｄＡｄｄｒをライトアドレスＷｒｉｔｅＡｄｄｒとして、ＬＵＴ１６に出力する。
【０００７】
こうして、歪み補償係数ｈが更新値ｈ’により書き換えられ、更新値ｈ’を入力サンプルＳ（ｔ）に乗算することで、ＨＰＡ１４の出力信号における非線形歪みが補償される。
特許文献１は、歪み補償動作開始直後に、隣接する複数の歪み補償テーブルに対して同時にテーブルの更新を行い、その後、同時に更新する歪み補償テーブルの数を段階的に減らしていく歪み補償係数更新方法に関する。
【特許文献１】特開２０００−２７８１９０号公報
【非特許文献１】“Digital Predistortion Reference Design”、［online］、［平成１９年６月１１日検索］、インターネット＜ＵＲＬ：http://www.altera.com/literature/an/an314.pdf ＞
【発明の開示】
【発明が解決しようとする課題】
【０００８】
しかしながら、上述したＤＰＤリファレンス設計における歪み補償係数の更新方法には、次のような問題がある。
通常、図６に示した歪み補償増幅器はいかなる帯域制約も受けずに動作し、歪み補償増幅器のすべての構成要素は極めて広い帯域幅を有する。例えば、ＯＦＤＭ（Orthogonal Frequency Division Multiplexing）通信システムの送信機では、５ＭＨｚの帯域幅を有するＯＦＤＭ信号に対して、５０ＭＨｚを超える帯域幅のＤＰＤが実現可能である。この場合、信号からは程遠いスペクトル領域の帯域外スペクトル成分のみがＤＰＤ帯域幅により抑制される。
【０００９】
しかし、ＤＰＤ帯域幅が入力信号Ｓ（ｔ）の帯域幅に接近してくると、状況は一変する。例えば、入力信号Ｓ（ｔ）の帯域幅が５ＭＨｚでＤＰＤ帯域幅が２０ＭＨｚのような場合である。
【００１０】
歪み補償増幅器の動作時には、入力サンプルＳ（ｔ）と歪み補償係数ｈの乗算が乗算器１１の出力信号の波形を大きく損なう。時間領域におけるこのような信号波形の歪みは、周波数領域において対応する信号スペクトルの膨張を引き起こす。この信号スペクトル膨張のメカニズムは、Ｗ−ＣＤＭＡ（Wideband Code Division Multiple Access）やＵＭＴ（Universal Mobile Telecommunications ）−２０００のようなスペクトル拡散通信システムで用いられるものと非常に似ている。こうして、歪み補償後の信号Ｓ（ｔ）＊ｈは、かなり広い帯域幅を有することになる。
【００１１】
ここで、全体のＤＰＤ帯域幅が信号Ｓ（ｔ）＊ｈの帯域幅より広ければ、歪み補償増幅器は適切に動作し、ＨＰＡ１４の非線形性を改善することができる。そうでなければ、歪み補償増幅器は適切に動作せず、ＨＰＡ１４の非線形性を改善することができない。
【００１２】
また、信号対ノイズ比（ＳＮＲ）を向上させるために、ローパスフィルタ（ＬＰＦ）やバンドパスフィルタ（ＢＰＦ）のような周波数選択回路を実装すると、ＤＰＤ帯域幅は大きく減少する。このようなフィルタは、通常、ＲＦＩ−Ｑ変調器１３およびＲＦＩ−Ｑ復調器２４の一部として実装されるか、あるいは乗算器１１の出力信号のベースバンド濾過を行う付加的な周波数選択回路として実装される。
【００１３】
ＬＰＦやＢＰＦを実装するとＳＮＲが向上し、ＲＦＩ−Ｑ変調器１３およびＲＦＩ−Ｑ復調器２４からの望ましくないスペクトル成分を除去することができる。したがって、歪み補償係数ｈの更新精度が向上する。
【００１４】
図７は、付加的な周波数選択回路としてＬＰＦを実装した歪み補償増幅器の構成例を示している。この歪み補償増幅器は、図６に示した歪み補償増幅器に対してＬＰＦ３１および３２を追加した構成を有する。図６の構成要素と同じ符号を有する構成要素の動作については、図６の場合と同様である。ＬＰＦ３１は、ＤＡＣ１２の出力信号を濾過してＲＦＩ−Ｑ変調器１３に出力し、ＬＰＦ３２は、ＲＦＩ−Ｑ復調器２４の出力信号を濾過してＡＤＣ２３に出力する。
【００１５】
このような狭帯域ＤＰＤの構成では、ＬＰＦの実装によりＤＰＤ帯域幅が狭くなり、歪み補償後の信号Ｓ（ｔ）＊ｈの帯域幅に近くなる。このため、通常の歪み補償処理の線形化性能が低下し、帯域外パワーを十分に低減することができない。
【００１６】
本発明の課題は、歪み補償処理の性能低下を抑制することである。
【課題を解決するための手段】
【００１７】
開示の歪み補償係数更新装置は、補償係数記憶部、訂正値生成部、および加算部を備える。
補償係数記憶部は、前置歪み補償処理に用いられる複数の歪み補償係数を記憶する。訂正値生成部は、歪み補償処理前の送信信号と、複数の歪み補償係数のうち１つの歪み補償係数による歪み補償処理後の増幅信号とに基いて算出した訂正値に基づき、その歪み補償係数以外の１つ以上の歪み補償係数のための１つ以上の訂正値を生成する。
【００１８】
加算部は、送信信号と増幅信号とに基いて算出した訂正値を上記１つの歪み補償係数に加算し、上記１つ以上の訂正値を上記１つ以上の歪み補償係数にそれぞれ加算して、得られた加算結果により補償係数記憶部の歪み補償係数を更新する。
【００１９】
このような構成によれば、１つの訂正値に基づいて複数の歪み補償係数が同時に更新されるため、それらの歪み補償係数同士の相関が強くなる。これにより、歪み補償係数による歪み補償処理後の信号間の相関が強くなるため、歪み補償後の信号帯域幅は減少する。したがって、歪み補償後の信号帯域幅をＤＰＤ帯域幅より狭く保つことが可能になり、歪み補償処理の性能低下が防止される。
【００２０】
開示の歪み補償増幅器は、補償係数記憶部、更新部、訂正値生成部、加算部、乗算部、および増幅部を備える。
補償係数記憶部は、前置歪み補償処理に用いられる複数の歪み補償係数を記憶する。更新部は、歪み補償処理前の送信信号と、複数の歪み補償係数のうち１つの歪み補償係数による歪み補償処理後の増幅信号とに基いて訂正値を算出する。訂正値生成部は、その訂正値に基づき、上記１つの歪み補償係数以外の１つ以上の歪み補償係数のための１つ以上の訂正値を生成する。
【００２１】
加算部は、送信信号と増幅信号とに基いて算出した訂正値を上記１つの歪み補償係数に加算し、上記１つ以上の訂正値を上記１つ以上の歪み補償係数にそれぞれ加算して、得られた加算結果により補償係数記憶部の歪み補償係数を更新する。乗算部は、上記１つの歪み補償係数の更新後の値を、歪み補償処理前の送信信号に乗算する。増幅部は、乗算部により乗算して得られた信号を増幅し、増幅後の信号を出力する。
【００２２】
このような構成によれば、歪み補償係数更新装置と同様に、歪み補償後の信号帯域幅をＤＰＤ帯域幅より狭く保つことが可能になり、歪み補償処理の性能低下が防止される。
【発明の効果】
【００２３】
開示の歪み補償係数更新装置および歪み補償増幅器によれば、歪み補償処理の性能低下が抑制される。
【発明を実施するための最良の形態】
【００２４】
以下、図面を参照しながら、本発明を実施するための最良の形態を詳細に説明する。
一般に、信号のサンプル間における相関が強いほど、パワースペクトルにおけるサイドローブのレベルが低下し、信号帯域幅が狭くなることが知られている。特に、オーバサンプルされた信号の場合、サンプル間に強い相関があり、信号帯域幅は狭くなる。したがって、歪み補償後の信号Ｓ（ｔ）＊ｈの帯域幅が広がるのを抑えるには、歪み補償後の信号間の相関を強めればよい。そこで、歪み補償係数間における相関が強くなるような更新処理を採用することが有効であると考えられる。
【００２５】
図１は、このような更新処理を採用した、実施形態の歪み補償増幅器の構成例を示している。この歪み補償増幅器は、図７に示した歪み補償増幅器において、ＬＵＴ１６および加算器１９をＬＵＴ１０１および加算部１０２に置き換え、乗算部１０３、リードアドレス生成部１０４、ライトアドレス生成部１０５、および重み係数記憶部１０６を追加した構成を有する。図７の構成要素と同じ符号を有する構成要素の動作については、図７の場合と同様である。この歪み補償増幅器では、ＬＵＴ１０１の１つのエントリではなく、隣接する複数のエントリが並行して同時に更新される。
【００２６】
リードアドレス生成部１０４は、アドレス計算部１５から出力される、歪み補償係数ｈ0 のリードアドレスＲｅａｄＡｄｄｒから、その前後のＮ個のアドレスを含むＮ＋１個のアドレスを生成して、ＬＵＴ１０１に出力する。ライトアドレス生成部１０５は、遅延部１８から出力されるライトアドレスＷｒｉｔｅＡｄｄｒから、その前後のＮ個のアドレスを含むＮ＋１個のアドレスを生成して、ＬＵＴ１０１に出力する。
【００２７】
したがって、リードアドレス生成部１０４およびライトアドレス生成部１０５はともに、ＬＵＴ１０１内の歪み補償係数ｈ0 のアドレスとそれに隣接するＮ個のアドレスを生成する。ここで、Ｎは偶数である。
【００２８】
重み係数記憶部１０６は、これらのＮ＋１個のアドレスに格納された歪み補償係数に対応するＮ＋１個の重み係数を記憶し、乗算部１０３に出力する。乗算部１０３は、更新部２０から出力される訂正値ΔｈにＮ＋１個の重み係数をそれぞれ乗算し、Ｎ＋１個の乗算結果を加算部１０２に出力する。加算部１０２は、それらの乗算結果をＬＵＴ１０１から出力されるＮ＋１個の歪み補償係数にそれぞれ加算し、Ｎ＋１個の加算結果をそれぞれの歪み補償係数の更新値としてＬＵＴ１０１に出力する。
【００２９】
図２は、図１の加算部１０２および乗算部１０３の構成例を示している。加算部１０２は、加算器２０１−１〜２０１−（Ｎ＋１）を備え、乗算部１０３は、乗算器２０２−１〜２０２−（Ｎ＋１）を備える。
【００３０】
歪み補償係数ｈ0 のアドレスの前のＮ／２個のアドレスに格納されているエントリをそれぞれｈ-N/2，．．．，ｈ-1とし、後のＮ／２個のアドレスに格納されているエントリをそれぞれｈ1 ，．．．，ｈN/2 とすると、一回の更新処理で歪み補償係数ｈ-N/2，．．．，ｈ-1，ｈ0 ，ｈ1 ，．．．，ｈN/2が同時に更新される。
【００３１】
リードアドレス生成部１０４は、更新対象の歪み補償係数ｈ-N/2〜ｈN/2のアドレスとして以下のアドレスを生成し、ＬＵＴ１０１は、これらのアドレスに格納された歪み補償係数を出力する。ただし、歪み補償係数ｈ0 のアドレスとしては、入力されたＲｅａｄＡｄｄｒがそのまま用いられる。
【００３２】
ｈN/2 ：  ＲｅａｄＡｄｄｒ（Ｎ／２）
・・・・・
ｈ1 ：  ＲｅａｄＡｄｄｒ（１）
ｈ0 ：  ＲｅａｄＡｄｄｒ
ｈ-1：  ＲｅａｄＡｄｄｒ（−１）
・・・・・
ｈ-N/2：  ＲｅａｄＡｄｄｒ（−Ｎ／２）
重み係数記憶部１０６には、歪み補償係数ｈ-N/2，．．．，ｈ-1，ｈ0 ，ｈ1 ，．．．
，ｈN/2にそれぞれ対応する重み係数ｗ-N/2，．．．，ｗ-1，ｗ0 ，ｗ1 ，．．．，ｗN/2が格納される。乗算器２０２−１〜２０２−（Ｎ＋１）は、訂正値Δｈに重み係数ｗN/2 〜ｗ-N/2をそれぞれ乗算し、加算器２０１−１〜２０１−（Ｎ＋１）は、得られたＮ＋１個の乗算結果を歪み補償係数ｈN/2 〜ｈ-N/2にそれぞれ加算する。これにより、次式のような更新値ｈ’N/2 〜ｈ’-N/2が生成される。
【００３３】
ｈ’N/2 ＝ｈN/2 ＋Δｈ＊ｗN/2 
・・・・・
ｈ’1 ＝ｈ1 ＋Δｈ＊ｗ1 
ｈ’0 ＝ｈ0 ＋Δｈ＊ｗ0 
ｈ’-1＝ｈ-1＋Δｈ＊ｗ-1
・・・・・
ｈ’-N/2＝ｈ-N/2＋Δｈ＊ｗ-N/2
ライトアドレス生成部１０５は、更新値ｈ’-N/2〜ｈ’N/2のアドレスとして以下のアドレスを生成し、ＬＵＴ１０１は、これらのアドレスに格納された歪み補償係数を更新値に書き換える。ただし、更新値ｈ’0 のアドレスとしては、入力されたＷｒｉｔｅＡｄｄｒがそのまま用いられる。
【００３４】
ｈ’N/2 ：  ＷｒｉｔｅＡｄｄｒ（Ｎ／２）
・・・・・
ｈ’1 ：  ＷｒｉｔｅＡｄｄｒ（１）
ｈ’0 ：  ＷｒｉｔｅＡｄｄｒ
ｈ’-1：  ＷｒｉｔｅＡｄｄｒ（−１）
・・・・・
ｈ’-N/2：  ＷｒｉｔｅＡｄｄｒ（−Ｎ／２）
このように、同時に更新されるすべての歪み補償係数に対して同じ訂正値Δｈが用いられる。この訂正値Δｈは、現在の処理対象である歪み補償係数ｈ0に対する訂正値である。ただし、各歪み補償係数ｈi （ｉ＝−Ｎ／２，．．．，−１，０，１，．．．，Ｎ／２）の訂正値は、重み係数ｗi を乗算することで調整される。重み係数ｗ0 として１を用いた場合、図２に示した中央の乗算器２０２−（Ｎ／２＋１）は省略することが可能である。
【００３５】
同じ訂正値Δｈに基づいてＬＵＴ１０１の隣接する複数のエントリを同時に更新することで、隣接するエントリが関連付けられ、入力サンプルに乗算される歪み補償係数間の相関が強くなる。これにより、乗算後の信号間の相関が強くなるため、歪み補償後の信号Ｓ（ｔ）＊ｈの帯域幅は減少する。したがって、信号Ｓ（ｔ）＊ｈの帯域幅をＤＰＤ帯域幅より狭く保つことができ、歪み補償処理の性能低下が防止される。
【００３６】
通常は、インデクスｉの絶対値が大きくなるに従って、すなわち、中央の歪み補償係数ｈ0から遠くなるにつれて、重み係数ｗi の値が小さくなることが望ましい。このような重み関数としては、例えば、ガウス窓関数が考えられる。図３は、Ｎ＝１６の場合にガウス窓関数を用いて算出した１７個の重み係数ｗi （ｉ＝−８，．．．，８）を示している。
【００３７】
なお、歪み補償係数ｈ0と同時に更新される歪み補償係数の数Ｎは、必ずしも偶数でなくてもよく、奇数であってもよい。したがって、一般に、Ｎは１以上の整数となる。
図４は、従来の歪み補償増幅器と図１の歪み補償増幅器における出力信号のパワースペクトルの例を示している。図４において、スペクトル４５は、非線形歪みのない理想的なＨＰＡから出力されるＯＦＤＭ信号のスペクトルである。このＯＦＤＭ信号はいかなる振幅歪みも位相歪みも有さず、歪み補償処理は行われていない。
【００３８】
スペクトル４２は、非線形なＨＰＡから出力されるＯＦＤＭ信号のスペクトルである。このＯＦＤＭ信号は、非線形で大きな振幅対振幅歪みと振幅対位相歪みを有し、非常に高い帯域外パワーレベルを示している。ただし、歪み補償処理は行われていない。
【００３９】
スペクトル４４は、図６に示した広帯域ＤＰＤにおける非線形なＨＰＡから出力されるＯＦＤＭ信号のスペクトルである。スペクトル４２と比較すると帯域外パワーレベルが約２０ｄＢだけ低下しており、歪み補償処理が有効に作用していることが分かる。
【００４０】
スペクトル４１は、図７に示した狭帯域ＤＰＤにおける非線形なＨＰＡから出力されるＯＦＤＭ信号のスペクトルである。スペクトル４２と比較すると帯域外パワーレベルは低下しているが、レベル低下の程度は小さいことが分かる。広帯域ＤＰＤのスペクトル４４と比較すると、狭帯域ＤＰＤの帯域外パワーレベルは約１０ｄＢだけ高くなっている。この事実は、歪み補償処理がＬＰＦによる帯域制約を受けていることを示している。
【００４１】
一方、スペクトル４３は、図１に示した狭帯域ＤＰＤにおける非線形なＨＰＡから出力されるＯＦＤＭ信号のスペクトルである。スペクトル４１と比較すると帯域外パワーレベルが約７ｄＢだけ低下しており、歪み補償処理の性能が改善されていることが分かる。
【００４２】
このような歪み補償増幅器によれば、ＨＰＡ、ＲＦＩ−Ｑ変調器、またはＲＦＩ−Ｑ復調器の入力側または出力側に周波数選択回路がある場合や、ＨＰＡのメモリ効果が存在する場合に、ＤＰＤが有する動的な追跡ループ処理の性能を改善することができる。
【００４３】
図５は、ＯＦＤＭ通信システム等における基地局装置の構成例を示している。基地局装置５０１は、送信データ生成部５０２、歪み補償増幅器５０３、およびアンテナ５０４を備える。歪み補償増幅器５０３は、例えば、図１に示した構成を有し、送信データ生成部５０２により生成される送信データを入力信号としてアップコンバートした後、増幅する。そして、増幅された信号を、アンテナ５０４を介して移動端末等の通信装置に送信する。
【００４４】
以上、図１から図５までを参照しながら説明した実施形態に関し、さらに以下の付記を開示する。
（付記１）前置歪み補償処理に用いられる複数の歪み補償係数を記憶する補償係数記憶部と、
歪み補償処理前の送信信号と、前記複数の歪み補償係数のうち１つの歪み補償係数による歪み補償処理後の増幅信号とに基いて算出した訂正値に基づき、該１つの歪み補償係数以外の１つ以上の歪み補償係数のための１つ以上の訂正値を生成する訂正値生成部と、
前記送信信号と増幅信号とに基いて算出した訂正値を前記１つの歪み補償係数に加算し、前記１つ以上の訂正値を前記１つ以上の歪み補償係数にそれぞれ加算して、得られた加算結果により前記補償係数記憶部の歪み補償係数を更新する加算部と
を備えることを特徴とする歪み補償係数更新装置。
（付記２）前記訂正値生成部は、
前記１つ以上の歪み補償係数のための１つ以上の重み係数を記憶する重み係数記憶部と、
前記送信信号と増幅信号とに基いて算出した訂正値に前記１つ以上の重み係数をそれぞれ乗算し、得られた乗算結果を前記１つ以上の訂正値として出力する乗算部とを含むこと
を特徴とする付記１記載の歪み補償係数更新装置。
（付記３）前記補償係数記憶部は、前記歪み補償処理前の送信信号の振幅またはパワーから計算される値をアドレスとして、該振幅またはパワーに対応する歪み補償係数を記憶し、前記１つの歪み補償係数に隣接するアドレスに前記１つ以上の歪み補償係数を記憶しており、前記重み係数記憶部は、該１つの歪み補償係数から遠い歪み補償係数ほど重み係数の値が小さくなるような、前記１つ以上の重み係数を記憶することを特徴とする付記２記載の歪み補償係数更新装置。
（付記４）前記１つ以上の重み係数はガウス窓関数を用いて算出されることを特徴とする付記３記載の歪み補償係数更新装置。
（付記５）前置歪み補償処理に用いられる複数の歪み補償係数を記憶する補償係数記憶部と、
歪み補償処理前の送信信号と、前記複数の歪み補償係数のうち１つの歪み補償係数による歪み補償処理後の増幅信号とに基いて訂正値を算出する更新部と、
前記訂正値に基づき、前記１つの歪み補償係数以外の１つ以上の歪み補償係数のための１つ以上の訂正値を生成する訂正値生成部と、
前記送信信号と増幅信号とに基いて算出した訂正値を前記１つの歪み補償係数に加算し、前記１つ以上の訂正値を前記１つ以上の歪み補償係数にそれぞれ加算して、得られた加算結果により前記補償係数記憶部の歪み補償係数を更新する加算部と、
前記１つの歪み補償係数の更新後の値を、前記歪み補償処理前の送信信号に乗算する乗算部と、
前記乗算部により乗算して得られた信号を増幅し、前記増幅後の信号を出力する増幅部と
を備えたことを特徴とする歪み補償増幅器。
（付記６）前置歪み補償処理前の送信信号を生成する生成部と、
歪み補償処理に用いられる複数の歪み補償係数を記憶する補償係数記憶部と、
前記歪み補償処理前の送信信号と、前記複数の歪み補償係数のうち１つの歪み補償係数による歪み補償処理後の増幅信号とに基いて訂正値を算出する更新部と、
前記訂正値に基づき、前記１つの歪み補償係数以外の１つ以上の歪み補償係数のための１つ以上の訂正値を生成する訂正値生成部と、
前記送信信号と増幅信号とに基いて算出した訂正値を前記１つの歪み補償係数に加算し、前記１つ以上の訂正値を前記１つ以上の歪み補償係数にそれぞれ加算して、得られた加算結果により前記補償係数記憶部の歪み補償係数を更新する加算部と、
前記１つの歪み補償係数の更新後の値を、前記歪み補償処理前の送信信号に乗算する乗算部と、
前記乗算部により乗算して得られた信号を増幅し、前記増幅後の信号を出力する増幅部と
を備えたことを特徴とする基地局装置。
（付記７）前置歪み補償処理前の送信信号と、歪み補償処理に用いられる複数の歪み補償係数のうち１つの歪み補償係数による歪み補償処理後の増幅信号とに基いて算出した訂正値に基づき、該１つの歪み補償係数以外の１つ以上の歪み補償係数のための１つ以上の訂正値を生成し、
前記送信信号と増幅信号とに基いて算出した訂正値を前記１つの歪み補償係数に加算し、前記１つ以上の訂正値を前記１つ以上の歪み補償係数にそれぞれ加算して、得られた加算結果により歪み補償係数を更新する
ことを特徴とする歪み補償係数更新方法。
【図面の簡単な説明】
【００４５】
【図１】実施形態の歪み補償増幅器の構成図である。
【図２】加算部と乗算部の構成を示す図である。
【図３】重み係数を示す図である。
【図４】ＯＦＤＭ信号のパワースペクトルを示す図である。
【図５】基地局装置の構成図である。
【図６】従来の歪み補償増幅器の構成図である。
【図７】ＬＰＦを含む歪み補償増幅器の構成図である。
【符号の説明】
【００４６】
１１、２１、２０２−１、２０２−（Ｎ／２）、２０２−（Ｎ／２＋１）、２０２−（Ｎ／２＋２）、２０２−（Ｎ＋１）  乗算器
１２  デジタル／アナログ変換器
１３  ＲＦＩ−Ｑ変調器
１４  高出力増幅器
１５  アドレス計算部
１６、１０１  参照テーブル
１７、１８  遅延部
１９、２０１−１、２０１−（Ｎ／２）、２０１−（Ｎ／２＋１）、２０１−（Ｎ／２＋２）、２０１−（Ｎ＋１）  加算器
２０  更新部
２２  減算器
２３  アナログ／デジタル変換器
２４  ＲＦＩ−Ｑ復調器
３１、３２  ＬＰＦ
４１、４２、４３、４４、４５  スペクトル
１０２  加算部
１０３  乗算部
１０４  リードアドレス生成部
１０５  ライトアドレス生成部
１０６  重み係数記憶部
５０１  基地局装置
５０２  送信データ生成部
５０３  歪み補償増幅器
５０４  アンテナ
【図１】
0005056490.tif 000002
【図２】
0005056490.tif 000003
【図３】
0005056490.tif 000004
【図５】
0005056490.tif 000005
【図６】
0005056490.tif 000006
【図７】
0005056490.tif 000007
【図４】
0005056490.tif 000008